(57)【要約】【課題】キーボード入力モードの切り換え装置の提供。【解決手段】本考案はコンピュータの内部の数字設定を全角或いは半角状態となし、補助キーボードの全角／半角切り換えキーが未押下状態の時、補助キーボードの数字キーの押圧によりコンピュータが出力する数字が全角となるようにし、該全角／半角切り換えキーが押し下げられると、コンピュータが半角状態に切り換えられ、このとき、補助キーボードの数字キーの押し下げによりコンピュータの出力する数字が半角状態となるようにする。【選択図】　　　　図１
0003098783.tif 000002
【実用新案登録請求の範囲】
【請求項１】
半角或いは全角数字入力を切り換えるためのキーボード入力モードの切り換え装置において、この装置が、
コンピュータ（３）と、
該コンピュータ（３）に接続され、全角／半角切り換えキー（２１）を具えた補助キーボード（２）と、
を具え、該コンピュータ（３）内部の数字がもともと全角状態に設定され、補助キーボード（２）の全角／半角切り換えキー（２１）が押される前、補助キーボード（２）の数字キーの押圧によりコンピュータ（３）が全角数字を出力し、全角／半角切り換えキー（２１）が押されると、コンピュータ（３）の出力する数字が半角状態に切り換えられることを特徴とする、キーボード入力モードの切り換え装置。
【請求項２】
請求項１記載のキーボード入力モードの切り換え装置において、補助キーボード（２）がキーパッド或いは数字キーボードのいずれかとされたことを特徴とする、キーボード入力モードの切り換え装置。
【請求項３】
請求項１記載のキーボード入力モードの切り換え装置において、コンピュータ（３）がデスクトップ型或いはノートブック型コンピュータとされたことを特徴とする、キーボード入力モードの切り換え装置。
【考案の詳細な説明】
【０００１】
【考案の属する技術分野】
本考案は一種のキーボード入力モードの切り換え装置に係り、特に、コンピュータに外部補助キーボードが接続され、直接補助キーボードがコンピュータに入力する数字を半角或いは全角に切り換えることができるキーボード入力モードの切り換え装置に関する。
【０００２】
【従来の技術】
周知のとおり、一般に使用されているノートブック型コンピュータは体積が小さく、そのキーボード設計上、数字入力キー部分と少数の英文字入力キー部分が結合されて共用とされ、両者の間のモード切り換えは「Ｎｕｍ　Ｌｏｃｋ」キーにより制御される。しかし、このために使用者が英文字入力と数字入力を同時にしたい場合、「Ｎｕｍ　Ｌｏｃｋ」キーを押して数字入力のモードに切り換えなければならず、英文字を入力したい時、再び「Ｎｕｍ　Ｌｏｃｋ」キーを押して英文字入力のモードに切り換えなければならず、このように何度も反復した動作を行なわねばならないために、使用者の作業効率への影響が大きくなった。
【０００３】
ある業者はすでに、外接式のキーパッドにより上述の問題を解決している。前述のキーパッドはノートブック型コンピュータのキーボードに外接され、それは数字入力専用の小型のキーボードとされ、使用者が英文字と数字を共に入力する必要がある時に毎回切り換えキーを押さなくてもすむようにするものである。
しかし、キーパッドは数字入力時に、数字の全角及び半角の切り換えを行なう際に、ノートブック型コンピュータ上の全角／半角切り換えキーによらなければならず、このため使用上、操作上の不便を感じさせる。
【０００４】
【考案が解決しようとする課題】
本考案の主要な目的は、上述の従来の技術の欠点を鑑み、欠点の存在を無くすことにあり、即ち、本考案の補助キーボードに全角／半角切り換えキーを設けて、使用者が補助キーボードを使用する時、直接補助キーボード上の全角／半角切り換えキーにより入力の切り換えが行なえるようにする。
【０００５】
【課題を解決するための手段】
請求項１の考案は、半角或いは全角数字入力を切り換えるためのキーボード入力モードの切り換え装置において、この装置が、
コンピュータ（３）と、
該コンピュータ（３）に接続され、全角／半角切り換えキー（２１）を具えた補助キーボード（２）と、
を具え、該コンピュータ（３）内部の数字がもともと全角状態に設定され、補助キーボード（２）の全角／半角切り換えキー（２１）が押される前、補助キーボード（２）の数字キーの押圧によりコンピュータ（３）が全角数字を出力し、全角／半角切り換えキー（２１）が押されると、コンピュータ（３）の出力する数字が半角状態に切り換えられることを特徴とする、キーボード入力モードの切り換え装置としている。
請求項２の考案は、請求項１記載のキーボード入力モードの切り換え装置において、補助キーボード（２）がキーパッド或いは数字キーボードのいずれかとされたことを特徴とする、キーボード入力モードの切り換え装置としている。
請求項３の考案は、請求項１記載のキーボード入力モードの切り換え装置において、コンピュータ（３）がデスクトップ型或いはノートブック型コンピュータとされたことを特徴とする、キーボード入力モードの切り換え装置としている。
【０００６】
【考案の実施の形態】
本考案はコンピュータの内部の数字設定を全角或いは半角状態となし、補助キーボードの全角／半角切り換えキーが未押下状態の時、補助キーボードの数字キーの押圧によりコンピュータが出力する数字が全角となるようにし、該全角／半角切り換えキーが押し下げられると、コンピュータが半角状態に切り換えられ、このとき、補助キーボードの数字キーの押し下げによりコンピュータの出力する数字が半角状態となるようにする。
【０００７】
【実施例】
図１は本考案の実施例表示図である。図示されるように、本考案のキーボード入力モードの切り換え装置は、コンピュータ（デスクトップ型或いはノートブック型コンピュータ）（３）に補助キーボード（２）が外接されるとき、ソフトウエアインストール後、補助キーボード（２）がソフトウエア定義或いは補助キーボード（２）によりコンピュータ出力を全角或いは半角の状態に設定する。作業システムのインストールが完成した後、特別に定義された全角／半角切り換えキー（２１）操作により、ソフトウエア端で補助キーボード（２）の数字キー入力が全角か或いは半角かを切り換えるか、或いはソフトウエア端により設定する。
【０００８】
図１、２、３は本考案の実施例及びキーボード入力モードの切り換え処理ソフトフローチャートである。図示されるように、補助キーボード（２）とコンピュータ（３）が接続された後、コンピュータ（３）内部にインストールされたソフトウエアは全角状態に設定され、このときソフトウエアが全角／半角切り換えキー（２１）が押し下げられたかを判断し、押し下げられていない時は、補助キーボード（２）の数字キー押圧によりコンピュータ（３）が出力する数字は全角とされる。もし補助キーボード（２）の全角／半角切り換えキー（２１）が押し下げられたと判断した場合は、コンピュータ（３）のソフトウエアが半角状態に切り換えられ、この時、補助キーボード（２）の数字キー押圧によりコンピュータ（３）が出力する数字は半角状態となる。
【０００９】
コンピュータ（３）内部にインストールされたソフトウエア設定が半角状態とされる時、ソフトウエアは全角／半角切り換えキー（２１）が押し下げられたかを判断し、押し下げられていない時は、補助キーボード（２）の数字キー押圧によりコンピュータ（３）が出力する数字は半角とされる。もし補助キーボード（２）の全角／半角切り換えキー（２１）が押し下げられたと判断した場合は、コンピュータ（３）のソフトウエアが全角状態に切り換えられ、この時、補助キーボード（２）の数字キー押圧によりコンピュータ（３）が出力する数字は全角状態となる。
【００１０】
さらに本考案のキーボード入力モードの切り換え装置は起動時に、コンピュータ（３）の状態を全角或いは半角状態に設定できるほか、起動時に補助キーボード（２）の状態を全角或いは半角に設定できる。
【００１１】
【考案の効果】
本考案は、上述の従来の技術の欠点を鑑み、欠点の存在を無くしており、即ち、本考案の補助キーボードには全角／半角切り換えキーが設けられ、使用者が補助キーボードを使用する時、直接補助キーボード上の全角／半角切り換えキーにより入力の切り換えが行なえる。
【図面の簡単な説明】
【図１】本考案の実施例ブロック図である。
【図２】本考案のキーボード入力モードの切り換え処理ソフトフローチャートである。
【図３】本考案のキーボード入力モードの切り換え処理ソフトフローチャートである。
【符号の説明】
１　主キーボード
２　補助キーボード
２１　全角／半角切り換えキー
３　コンピュータ
【図１】
0003098783.tif 000003
【図２】
0003098783.tif 000004
【図３】
0003098783.tif 000005